(57)【要約】【課題】機器本体の収納部に対する電池や記録媒体の着脱を容易にすると共に、電池蓋の開状態で更に電池蓋の開方向に負荷が加わった場合でも十分な強度を確保する仕組みを提供する。【解決手段】電子機器は、電池及び記録媒体の収納部４００を開閉可能に覆う電池蓋ユニットを備える。電池蓋ユニットは、電池蓋３０１と、電池蓋３０１を保持する保持部材５００と、保持部材５００回動可能に支持する回動軸３０４を有する。保持部材５００には、電池蓋ユニットを開状態としたときに規制用凸部２０５と当接して保持部材５００の回動を規制する規制部５１１と、回動軸３０４に対して規制部５１１の反対側に突出する腕部５０３と、が形成され、電池収納部４００には、電池蓋ユニットを開状態としたときに、腕部５０３と係合する係合部４０６が形成される。【選択図】図１２
2015034914.tif 000002
【特許請求の範囲】
【請求項１】
機器本体と、前記機器本体の一部を開閉可能に覆う蓋ユニットと、を備える電子機器であって、
前記蓋ユニットは、
蓋体と、
前記蓋体を保持する保持部材と、
前記保持部材を前記機器本体に対して回動可能に支持する回動軸と、を有し、
前記保持部材には、前記回動軸が挿入されるカール形状部と、前記蓋ユニットを開状態としたときに前記機器本体と当接して前記保持部材の回動を規制する規制部と、前記カール形状部に挿入される前記回動軸に対して前記規制部の反対側に突出する腕部と、が形成され、
前記機器本体には、前記蓋ユニットを開状態としたときに、前記保持部材の前記腕部と係合する係合部が形成されることを特徴とする電子機器。
【請求項２】
前記蓋ユニットは、
前記保持部材を前記蓋体とともに開方向に付勢する付勢部材を備え、
前記蓋体は、前記保持部材に対してスライド移動が可能に保持され、前記蓋ユニットが閉状態となるときに、前記保持部材に対してスライド操作されることで、前記機器本体との係合が解除され、前記付勢部材の付勢力により前記保持部材とともに開方向に回動することを特徴とする請求項１に記載の電子機器。
【請求項３】
前記保持部材には、前記カール形状部が複数個所に形成されるとともに、前記腕部が複数の前記カール形状部の間に形成されることを特徴とする請求項１又は２に記載の電子機器。
【請求項４】
前記蓋ユニットを開状態としたときに、前記腕部の先端面が前記係合部に設けた受け面に当接することを特徴とする請求項１乃至３のいずれか一項に記載の電子機器。
【発明の詳細な説明】
【技術分野】
【０００１】
本発明は、例えばデジタルカメラ等の電子機器に関し、特に電池蓋ユニットを備える電子機器に関する。
【背景技術】
【０００２】
デジタルカメラ等の電子機器では、電池や記録媒体の収納部を開閉可能に覆う電池蓋ユニットを備えるものがある。電池蓋ユニットは、閉状態で機器本体の外装の一部を形成する電池蓋と、電池蓋をスライド可能に保持するとともに、機器本体に対して回動軸を介して電池蓋と一体に開閉方向に回動可能に支持される板金部材とを有する。そして、閉状態で電池蓋を板金部材に対してスライド操作すると、電池蓋と機器本体との係合が解除され、この状態で電池蓋が付勢ばねの付勢力により板金部材とともに開方向に回動し、これにより、収納部が開放されて電池や記録媒体の着脱が可能となる。
【０００３】
従来、板金部材の幅方向両側を折り曲げて折り曲げ部分の端部にそれぞれ回動軸の軸穴を有する腕部を設け、２つの腕部の間に形成したカール曲げ部と２つの腕部の軸穴とに回動軸を挿通させる技術が提案されている（特許文献１）。この提案では、板金部材の剛性を高めて回動軸を機器本体に軸支することで、電池蓋の開状態で更に開方向に力が加わった場合でも十分な強度を確保できるとしている。
【先行技術文献】
【特許文献】
【０００４】
【特許文献１】特開２００９−２１１０３号公報
【発明の概要】
【発明が解決しようとする課題】
【０００５】
ところで、電池や記録媒体の着脱を容易にするためには、電池蓋の開き角度を９０度以上とし、かつ回動軸の位置をできるだけ電池や記録媒体から離れた位置、即ち機器本体の外装側に配置する必要がある。しかし、回動軸を機器本体の外装側に配置すると、回動軸を支持する機器本体側の支持部の肉厚が薄くなり、電池蓋を開いた状態で更に電池蓋に対して開方向に負荷が加わった場合にかかる負荷を受け止めることができなくなる可能性がある。
【０００６】
ここで、上記特許文献１では、板金部材の強度は確保できているが、回動軸を支持する部分の強度向上については開示も示唆もされていない。
【０００７】
そこで、本発明は、蓋体を開いた状態で更に蓋体に対して開方向に負荷が加わった場合でも十分な強度を確保することができる電子機器を提供することを目的とする。
【課題を解決するための手段】
【０００８】
上記目的を達成するために、本発明の電子機器は、機器本体と、前記機器本体の一部を開閉可能に覆う蓋ユニットと、を備える電子機器であって、前記蓋ユニットは、蓋体と、前記蓋体を保持する保持部材と、前記保持部材を前記機器本体に対して回動可能に支持する回動軸と、を有し、前記保持部材には、前記回動軸が挿入されるカール形状部と、前記蓋ユニットを開状態としたときに前記機器本体と当接して前記保持部材の回動を規制する規制部と、前記カール形状部に挿入される前記回動軸に対して前記規制部の反対側に突出する腕部と、が形成され、前記機器本体には、前記蓋ユニットを開状態としたときに、前記保持部材の前記腕部と係合する係合部が形成されることを特徴とする。
【発明の効果】
【０００９】
本発明によれば、蓋体を開いた状態で更に蓋体に対して開方向に負荷が加わった場合でも十分な強度を確保することができる。
【図面の簡単な説明】
【００１０】
【図１】（ａ）は本発明の電子機器の第１の実施形態であるデジタルカメラを正面側（被写体側）から見た斜視図、（ｂ）は（ａ）に示すデジタルカメラを背面側から見た斜視図である。
【図２】図１（ａ）に示すデジタルカメラを底面側から見た斜視図である。
【図３】電池蓋ユニットの開閉動作を説明するための斜視図である。
【図４】電池蓋ユニットの分解斜視図である。
【図５】板金部材の斜視図である。
【図６】電池蓋ユニットをカメラ本体の電池収納部に組み込む前の状態を示す斜視図である。
【図７】電池蓋ユニットをカメラ本体の電池収納部に組み込んだ状態を示す斜視図である。
【図８】電池蓋の開状態をカメラ本体の正面側から見た図である。
【図９】図８のＸ−Ｘ線断面図である。
【図１０】電池蓋の閉状態での図８のＹ−Ｙ線断面図である。
【図１１】電池蓋の開状態での図８のＹ−Ｙ線断面図である。
【図１２】図１１の部分拡大断面図である。
【図１３】本発明の電子機器の第２の実施形態であるデジタルカメラの要部断面図である。
【発明を実施するための形態】
【００１１】
以下、本発明の実施形態を図面を参照して説明する。
【００１２】
（第１の実施形態）
図１（ａ）は本発明の電子機器の第１の実施形態であるデジタルカメラを正面側（被写体側）から見た斜視図、図１（ｂ）は図１（ａ）に示すデジタルカメラを背面側から見た斜視図である。
【００１３】
本実施形態のデジタルカメラは、図１（ａ）に示すように、カメラ本体１００の正面側にズーム式のレンズ鏡筒１０７が設けられ、レンズ鏡筒１０７の周囲には、マイク穴１１０，１１１やＡＦ補助光窓１０５等が設けられる。カメラ本体１００の上面部には、レリーズボタン１０１、ズームレバー１０２、電源ボタン１０３、モードダイヤル１０４、及びストロボユニット１０６等が設けられる。ストロボユニット１０６は、図の矢印Ａ方向に回動可能とされている。
【００１４】
また、図１（ｂ）に示すように、カメラ本体１００の背面側には、ＬＣＤ等の表示ユニット２０１、各種操作ボタン群２０２等が設けられ、カメラ本体１００を背面側から見て右側の側部には、端子カバー２０４が設けられる。端子カバー２０４は、アナログビデオ端子、外部電源端子、デジタル端子等を開閉可能に覆って保護する。ここで、カメラ本体１００は、本発明の機器本体の一例に相当する。
【００１５】
図２は、図１（ａ）に示すデジタルカメラを底面側から見た斜視図である。図２に示すように、カメラ本体１００の底面側には、電池蓋ユニット３００、三脚取付部４０４、及び規制用凸部２０５等が設けられる。
【００１６】
電池蓋ユニット３００の電池蓋３０１及び板金部材５００（図３参照）は、カメラ本体１００に対して回動軸３０４（図３参照）を介して開閉方向に回動可能に支持され、閉状態で電池蓋３０１がカメラ本体１００の底面側の外装の一部を形成する。また、規制用凸部２０５は、電池蓋３０１が開いた状態で板金部材５００が当接して電池蓋３０１のそれ以上の開き方向の回動を規制する。
【００１７】
図３は、電池蓋ユニット３００の開閉動作を説明するための斜視図である。まず、図３（ａ）に示すように、ユーザが指等で電池蓋３０１をカメラ本体１００の正面側（矢印Ｂ方向）にスライド操作すると、図３（ｂ）に示す状態となる。
【００１８】
図３（ｂ）に示す状態では、カメラ本体１００と電池蓋３０１との不図示の係合部の係合が解除される。なお、本実施形態では、電池蓋３０１のスライド移動方向をレンズ鏡筒１０７の光軸方向と同一にしているが、これに限定されない。
【００１９】
そして、図３（ｂ）に示す状態で、電池蓋３０１から指等を離すと、付勢ばね３０３の付勢力により、電池蓋３０１が板金部材５００と一体に回動軸３０４を介して開方向（矢印Ｃ方向）に回動し、図３（ｃ）に示す状態となる。これにより、カメラ本体１００の電池収納部４００に対して、電池６００やメモリカード等の記録媒体７００の着脱が可能となる。
【００２０】
図４は、電池蓋ユニット３００の分解斜視図である。図４に示すように、電池蓋ユニット３００は、電池蓋３０１、板金部材５００、回動軸３０４、及び付勢ばね３０３を有する。電池蓋３０１は、板金部材５００に対してスライド移動が可能に保持され、中央部に形成された穴３０２ａには、ケーブルカバー３０２が着脱可能に装着される。ここで、電池蓋ユニット３００は、本発明の蓋ユニットの一例に相当し、電池蓋３０１は、本発明の蓋体の一例に相当する。板金部材５００は、本発明の保持部材の一例に相当し、付勢ばね３０３は、本発明の付勢部材の一例に相当する。
【００２１】
電池蓋３０１の図の左側部には、右側に突出するリブ３１０が設けられ、右側部には、左側に突出するリブ３１１が設けられ、下側部には、規制部３０９が設けられる。また、電池蓋３０１には、リブ３１０と穴３０２ａとの間に押圧部３０５，３０６が設けられ、リブ３１１と穴３０２ａとの間に押圧部３０７，３０８が設けられる。付勢ばね３０３は、回動軸３０４に外挿されて、板金部材５００を電池蓋３０１とともに開き方向に付勢する。
【００２２】
図５は、板金部材５００の斜視図である。図５に示すように、板金部材５００には、中央部に電池蓋３０１の穴３０２ａに対応する穴５００ａが形成され、図の左右方向の両側には、電池蓋３０１のリブ３１０及びリブ３１１の裏面側にそれぞれ挿入される挿入部５０８及び挿入部５０９が設けられる。
【００２３】
板金部材５００には、ばね性を有するクリック部５０６，５０７が設けられ、クリック部５０６は、電池蓋３０１の押圧部３０５又は押圧部３０６に押圧され、クリック部５０７は、電池蓋３０１の押圧部３０７又は押圧部３０８に押圧される。
【００２４】
板金部材５００の下側部には、回動軸３０４が挿通されるカール形状部５０１，５０２が図の左右方向に離間して設けられる。上述したように、板金部材５００には、電池蓋３０１がスライド移動可能に保持され、電池蓋３０１の規制部３０９が板金部材５００の規制部５１０と当接することで、電池蓋３０１の必要以上のスライド移動が規制される。
【００２５】
また、板金部材５００には、複数個所にカール形状部５０１，５０２が形成され、カール形状部５０１，５０２の間に腕部５０３が形成される。腕部５０３は、カール形状部５０１，５０２に挿入される回動軸３０４に対して規制部５１１の反対側に突出するように形成される。腕部５０３は、回動軸３０４の接線方向に延びる延設部５０５と、延設部５０５の先端から回動軸３０４の回動中心を向くように回動軸３０４側に折り曲げられた当接部５０４とが形成される。当接部５０４は、電池蓋３０１の開状態で、後述する電池収納部４００に設けられた係合部４０６と係合する。
【００２６】
図６は電池蓋ユニット３００をカメラ本体１００の電池収納部４００に組み込む前の状態を示す斜視図、図７は電池蓋ユニット３００をカメラ本体１００の電池収納部４００に組み込んだ状態を示す斜視図である。
【００２７】
図６及び図７に示すように、電池蓋ユニット３００は、回動軸３０４の両端がそれぞれ電池収納部４００の支持部４０２，４０３に支持される。図７の状態では、電池蓋ユニット３００は、付勢ばね３０３付勢力により電池蓋３０１が板金部材５００とともに開き角度が９０°以上で開状態となっている。
【００２８】
また、電池収納部４００には、電池６００及び記録媒体７００が収納され、電池６００は、ロックレバー８００を操作することで、不図示のばねの付勢力により電池収納部４００から排出される。記録媒体７００については、記録媒体７００を押し込むことで、不図示のばねの付勢力により電池収納部４００から排出される。なお、本実施形態では、電池収納部４００に収納された電池６００及び記録媒体７００の長手方向と回動軸３０４とを略平行に配置しているが、これに限定されない。
【００２９】
ここで、記録媒体７００を指等で押し込む際に、回動軸３０４の位置が記録媒体７００と近いと、指等が電池蓋３０１や板金部材５００に干渉して、記録媒体７００を押し込みにくい。そのため、できるだけ回動軸３０４をカメラ本体１００の外装側に配置して回動軸３０４の位置を記録媒体７００から離す必要がある。
【００３０】
図８は電池蓋３０１の開状態をカメラ本体１００の正面側から見た図、図９は図８のＸ−Ｘ線断面図である。図１０は電池蓋３０１の閉状態での図８のＹ−Ｙ線断面図、図１１は電池蓋３０１の開状態での図８のＹ−Ｙ線断面図である。図１２は、図１１の部分拡大断面図である。
【００３１】
図９において、前述したように、できるだけ回動軸３０４をカメラ本体１００の外装側（矢印Ｄ方向）に配置する必要があるが、回動軸３０４をカメラ本体１００の外装側に配置すると、電池収納部４００の支持部４０２，４０３の肉厚Ｈが薄くなってしまう。
【００３２】
図１１及び図１２に示すように、電池蓋３０１の開状態では、板金部材５００の規制部５１１がカメラ本体１００の規制用凸部２０５に当接して電池蓋３０１のそれ以上の開き方向の回動が規制される。
【００３３】
このとき、板金部材５００の腕部５０３の当接部５０４が電池収納部４００の係合部４０６に係合する。図１１及び図１２に示すように、当接部５０４と係合部４０６との係合箇所は回動軸３０４に対して規制部５１１の反対側に位置する。この状態で、電池蓋３０１に電池蓋３０１を開く方向に力を加えると、当接部５０４は図１２の矢印Ｅ方向に係合部４０６を押圧する。
【００３４】
このため、電池蓋３０１の開状態からさらに開方向に負荷が加わった場合、かかる負荷は、回動軸３０４の両端を支持する電池収納部４００の支持部４０２，４０３だけでなく、係合部４０６にも分散して受け止められる。
【００３５】
これにより、電池収納部４００の支持部４０２，４０３のカメラ本体１００の外装側の肉厚Ｈが薄くても、十分な強度を確保することができ、また、回動軸３０４の中央部の撓みも防ぐことができる。更に、電池蓋３０１の開状態で電池蓋３０１に沿って回動軸３０４に向かう方向（図１２の矢印Ｆ方向）に負荷が加わった場合でも、電池収納部４００に設けた受け部４０５が回動軸３０４を受け止める為、回動軸３０４の矢印Ｆ方向の撓みを防止することができる。
【００３６】
以上説明したように、本実施形態では、カメラ本体１００の電池収納部４００に対する電池６００や記録媒体７００の着脱を容易にすると共に、電池蓋３０１の開状態で更に電池蓋３０１に開方向に負荷が加わった場合でも十分な強度を確保することができる。
【００３７】
（第２の実施形態）
図１３は、本発明の電子機器の第２の実施形態であるデジタルカメラの要部断面図である。なお、上記第１の実施形態に対して重複又は相当する部分については、図に同一符号を付してその説明を省略する。
【００３８】
本実施形態のデジタルカメラは、図１３に示すように、電池蓋３０１の開状態で、板金部材５００の腕部５０３の当接部５０４の先端面５１０が電池収納部４００に設けた規制用受け面４０７に当接して、電池蓋３０１のそれ以上の開き方向の回動が規制される。
【００３９】
これにより、上記第１の実施形態のように、カメラ本体１００の外装に規制用凸部２０５を設けることなく、電池蓋３０１の回動を規制することができる。その他の構成、及び作用効果は、上記第１の実施形態と同様である。
【００４０】
なお、本発明の構成は、上記各実施形態に例示したものに限定されるものではなく、材質、形状、寸法、形態、数、配置箇所等は、本発明の要旨を逸脱しない範囲において適宜変更可能である。
【００４１】
例えば、上記各実施形態では、電子機器としてデジタルカメラを例示したが、これに限定されず、デジタルビデオカメラ等の撮像装置や撮像装置以外の携帯端末等の電子機器であってもよい。
【符号の説明】
【００４２】
３００  電池蓋ユニット
３０１  電池蓋
３０４  回動軸
４００  電池収納部
４０２  支持部
４０３  支持部
４０６  係合部
５００  板金部材
５０３  腕部
５０４  当接部
５１１  規制部
６００  電池
７００  記録媒体
【図１】
2015034914.tif 000003
【図２】
2015034914.tif 000004
【図３】
2015034914.tif 000005
【図４】
2015034914.tif 000006
【図５】
2015034914.tif 000007
【図６】
2015034914.tif 000008
【図７】
2015034914.tif 000009
【図８】
2015034914.tif 000010
【図９】
2015034914.tif 000011
【図１０】
2015034914.tif 000012
【図１１】
2015034914.tif 000013
【図１２】
2015034914.tif 000014
【図１３】
2015034914.tif 000015